(57)【要約】【課題】傘の挿入が容易で、形状制限なく、再利用が可能で、同時に通常の傘の収納袋としても使えるぬれた傘の収納袋を提供する。【解決手段】傘袋の傘挿入口近傍に、片手の指を入れ開口部を開き袋本体を保持するための、袋を挟んで対になったループ構造を形成した。指をぬらすことなく傘の挿入が容易で、硬質素材を用いていないので裏返しての乾燥ができる。また同構造を内外に形成する事により、裏返したままで再利用できる。収納袋に排水用のスリットを設けることにより使用の一時中断時に傘袋内の排水が容易となる。摺動可能紐を収納袋に取り付けたループに通し収納袋を折り曲げ固定することで、袋からの漏水を防ぎ、使用中断時コンパクトに持ち運べる。通常の傘収納袋としても使える。【選択図】図１３
2007050236.tif 000002
【特許請求の範囲】
【請求項１】
濡れた傘を収納する袋において、収納袋本体の開口部近傍外側に、袋を挟んで、同一方向で対になった開口端を持つループ構造あるいはポケット構造を形成することを特徴とする指支持傘収納袋。
【請求項２】
請求項１に記載の指支持傘袋において、傘を入れる収納袋本体の開口部近傍外側に、袋を挟んで同一方向で対になった開口端を持つ、収納袋本体開口面に平行なトンネル状帯状ループを形成することを特徴とする指支持傘収納袋。
【請求項３】
請求項２に記載の指支持傘収納袋において、柔軟シート素材上下両辺端部分を傘収納袋本体開口面に平行に収納袋本体に固定することにより、傘を入れる収納袋本体の開口部近傍外側に、袋を挟んで同一方向で対になった開口端を持つ、収納袋本体開口面に平行なトンネル状帯状ループを形成することを特徴とする指支持傘収納袋。
【請求項４】
請求項２に記載の指支持傘収納袋において、傘を入れる袋本体開口端に切れ目を入れ、開口端部分の一部を折り返し固定することにより、傘を入れる収納袋本体の開口部近傍外側に、袋を挟んで同一方向で対になった開口端を持つ、収納袋本体開口面に平行なトンネル状帯状ループを形成し、折り返さない部分を、手のカバー又は袋全体をつるすための穴を開ける部分とすることを特徴とする指支持傘収納袋。
【請求項５】
請求項２に記載の指支持傘収納袋において、傘を入れる袋本体の開口端を折り返して袋本体に固定して開口縁を二重にし、できた折り返し二重部分に複数の穴またはスリットを設け、袋を挟んで同一方向で対になった開口端を持つ、収納袋本体開口面に平行なトンネル状帯状ループを形成することを特徴とする指支持傘収納袋。
【請求項６】
請求項１に記載の指支持傘収納袋において、傘収納袋本体開口部近傍外側に加え内側にも、袋を挟んで、同一方向で対になった開口端を持つループ構造あるいはポケット構造を形成することを特徴とした指支持傘収納袋。
【請求項７】
請求項２に記載の指支持傘収納袋において、傘収納袋本体開口部近傍外側に加え内側にも、袋を挟んで同一方向で対になった開口端を持つ、収納袋本体開口面に平行なトンネル状帯状ループを形成することを特徴とする指支持傘収納袋。
【請求項８】
請求項７に記載の指支持傘収納袋において、柔軟シート素材上下両辺端部分を傘収納袋本体開口面に平行に収納袋本体に固定し、袋を挟んで同一方向で対になった開口端を持つ収納袋本体開口面に平行なトンネル状帯状ループを、収納袋本体開口部近傍内外両側面に形成することを特徴とする指支持傘収納袋。
【請求項９】
請求項７に記載の指支持傘収納袋において、傘を入れる収納袋本体開口端に複数の切れ目を入れ、開口端部分の一部を内側外側へ折り返し、元の収納袋本体開口端を固定して、袋を挟んで同一方向で対になった開口端を持つ収納袋本体開口面に平行なトンネル状帯状ループを、収納袋本体開口部近傍内外両側面に形成することを特徴とする指支持傘収納袋。
【請求項１０】
請求項７に記載の指支持傘収納袋において、収納袋本体の開口端を折り返して袋本体に固定して開口縁を二重にし、できた折り返し二重部分の内外両面に複数の穴またはスリットを設け、袋を挟んで同一方向で対になった開口端を持つ収納袋本体開口面に平行なトンネル状帯状ループを、収納袋本体開口部近傍内外両側面に形成することを特徴とする指支持傘収納袋。
【請求項１１】
請求項１に記載の指支持傘収納袋において、その収納袋本体を、谷折りした長尺なシート素材（２７）と、短く折られた方のシート素材端（２７ｅ）を外側としてその一部を重ねたシート素材（２８）を、その両側端で接合し、重ねた部分に一部接合箇所（２７ａ）、（２７ｂ）を設けるか、あるいはボタンとボタン穴や面ファスナー等の一時的接合手段を取り付け、収納袋本体開口端部に三角形状のシート素材（２９）を取り付けたことを特徴とする指支持傘収納袋。
【請求項１２】
開口端を折り返し固定することにより開口縁を二重にし、請求項３に記載の柔軟シート素材上下両辺端部分を傘収納袋本体開口面に平行に収納袋本体に固定するか、請求項５に記載の折り返し二重部分に複数の穴またはスリットを設ける方法で、開口部近傍外側面に、袋を挟んで同一方向で対になった開口端を持つ収納袋本体開口面に平行なトンネル状帯状ループを形成し、二重部分に摺動可能な１本の紐を環状に挿通するため、折り返し二重部分外側面に新たに紐引き出し挿入用スリットを設けるか又は請求項５で作られた既存の穴あるいはスリットを環状摺動可能紐引き出し挿入部として紐を挿通し、加えて収納袋本体開口端を上としたとき、傘収納袋本体中央部かあるいはそれ以下の部分にその周囲に撥水加工をした垂直方向の５ｍｍ前後の排水用スリットを形成し、開口部から排水用スリットと同程度の距離で環状摺動可能紐引き出し挿入部垂直下に紐通しリングを取り付け、必要なら紐通しリングと環状摺動可能紐引き出し挿入部との中間部に順次紐通しリングを形成することを特徴とする指支持傘収納袋。
【請求項１３】
開口端を折り返し固定することにより開口縁を二重にし、請求項３または５に記載の柔軟シート素材上下両辺端部分を傘収納袋本体開口面に平行に収納袋本体に固定するか折り返し二重部分に複数の穴またはスリットを設ける方法で、袋を挟んで同一方向で対になった開口端を持つ収納袋本体開口面に平行なトンネル状帯状ループを形成し、折り返し二重部分に摺動可能な１本の紐を環状に挿通するため、折り返し二重部分外側面に新たに紐引き出し挿入用スリットを設けるか又は請求項５で作られた既存の穴あるいはスリットを環状摺動可能紐引き出し挿入部として紐を挿通し、加えて収納袋本体開口端を上としたとき、傘収納袋本体中央部かあるいはそれ以下の部分に排水用の穴を開け、その穴を覆って下方向にのみ開口するように上端と左右端を収納袋本体に固定した柔軟シート素材を収納袋本体内側に形成し、開口部から排水用の穴と同程度の距離で環状摺動可能紐引き出し挿入部垂直に紐通しリングを取り付け、必要なら紐通しリングと環状摺動可能紐引き出し挿入部との中間部に順次紐通しリングを形成することを特徴とする指支持傘収納袋。        
【請求項１４】
請求項６に記載の指支持傘収納袋において、開口端を折り返して固定することにより開口縁を二重にし、その内外両面に紐引き出し挿入用スリットを作り摺動可能な１本の紐を挿通し、加えて収納袋本体開口端を上としたとき傘収納袋本体中央部かあるいはそれ以下の部分に排水用スリットか穴を形成し、排水用穴の近傍内外両面に紐通しリングを取り付け、必要ならその紐通しリングと環状摺動可能紐引き出し挿入部との中間部に順次紐通しリングを内外双方に形成することを特徴とする指支持傘収納袋。
【請求項１５】
開口端を折り返し固定することにより開口縁を二重にし、請求項８または１０に記載の柔軟シート素材上下両辺端部分を傘収納袋本体に固定するか折り返し二重部分に複数の穴またはスリットを設ける方法で、開口部近傍内外両側面に、袋を挟んで同一方向で対になった開口端を持つ収納袋本体開口面に平行なトンネル状帯状ループを形成し、二重部分に摺動可能な１本の紐を環状に挿通するため、折り返し二重部分内外両面に紐引き出し挿入用スリットを作るか又は請求項１０で作られる既存の穴あるいはスリットを環状摺動可能紐引き出し挿入部として紐を挿通し、加えて収納袋本体開口端を上としたとき、傘収納袋本体中央部かあるいはそれ以下の部分にその周囲に撥水加工をした垂直方向の５ｍｍ前後の排水用スリットを形成し、開口部から排水用スリットと同程度の距離で環状摺動可能紐引き出し挿入部垂直下内側外側双方に紐通しリングを取り付け、必要なら紐通しリングと環状摺動可能紐引き出し挿入部との中間部に順次紐通しリングを内外双方に形成することを特徴とする指支持傘収納袋。
【請求項１６】
開口端を折り返し固定することにより開口縁を二重にし、請求項８または１０に記載の柔軟シート素材上下両辺端部分を傘収納袋本体に固定するか折り返し二重部分に複数の穴またはスリットを設ける方法で、開口部近傍内外両側面に、袋を挟んで同一方向で対になった開口端を持つ収納袋本体開口面に平行なトンネル状帯状ループを形成し、二重部分に摺動可能な１本の紐を環状に挿通するため、折り返し二重部分に新たに紐引き出し挿入用スリットを内外両面に作るか又は請求項１０で作られる既存の穴あるいはスリットを環状摺動可能紐引き出し挿入部として紐を挿通し、加えて収納袋本体開口端を上としたとき、傘収納袋本体中央部あるいはそれ以下の部分に排水用の穴を開け、その穴を覆って下方向にのみ開口するように上端と左右端を収納袋本体に固定した柔軟シート素材を収納袋本体内側外側双方に形成し、開口部から排水用の穴と同程度の距離で環状摺動可能紐引き出し挿入部垂直下内側外側双方に紐通しリングを取り付け、必要なら紐通しリングと環状摺動可能紐引き出し挿入部との中間部に順次紐通しリングを内外双方に形成することを特徴とする指支持傘収納袋。
【発明の詳細な説明】
【技術分野】
【０００１】
この発明は、傘に付着する水滴の飛散や落下を防止する傘を入れる袋に関する。
【背景技術】
【０００２】
従来、大型店舗などにおいて、濡れた傘を入れるためにポリエチレン等の袋が置いてあるが、傘を入れようとすると指で袋本体開口端を引き上げるほかなく、指自体が濡れることは避けがたい。車内用に作られたものなど、指を濡らさぬ様に作られているものは、特許文献１、２に在る様に全体あるいは部分的に剛性のある素材が使われているため携帯に適さない。袋は一般的にポリエチレンや塩化ビニールなど合成樹脂のシート、あるいは撥水か防水加工をした布等が使われている。これらをまとめ本文中では柔軟シート素材あるいはシート素材と表記している。
【０００３】
【特許文献１】特許公開平７−１４３９０６号広報
【特許文献２】特許公開２００４−１８１２１３号広報
【発明の開示】
【発明が解決しようとする課題】
【０００４】
大型店舗などに置かれている従来のポリエチレン製などの使い捨て傘収納袋は、袋を引き上げる際袋が傘に張り付くため、引き上げ難く、また指もぬれる。指を濡らさず、容易に傘を挿入できる、濡れた傘の収納袋が有ると良い。再利用可能であればなお良い。全体を同じ柔軟素材で作れば、携帯の際の形状に制限がなくなるし、裏返すことができ、袋の乾燥もしやすい。裏返して乾かした後、再度裏返すことなく使用できるとより便利である。使用の一時中断が容易にできるとよい。通常も傘の収納袋として使えるとなお良い。本発明は、これらの問題の解決を図った、濡れた状態及び通常でも使える傘の収納袋を提供することにある。
【課題を解決するための手段】
【０００５】
請求項１の発明は、ぬれた傘を収納する袋本体の開口部近辺に、指を差し入れる為の収納袋を挟むように対になった開口端を持つループ構造あるいはポケット構造を形成した。
【０００６】
請求項２の発明は、傘を収納する袋本体の開口部近傍外側に、指を差し入れる為の収納袋を挟むように同一方向で対になった開口端を持つループ構造を形成した。
【０００７】
請求項３の発明は、請求項２に記載の指支持傘収納袋において、柔軟シート素材の上下両辺端部分を傘収納袋本体に固定することにより、傘を入れる袋本体の開口部近傍外側に、指を差し入れる為のループを形成した。
【０００８】
請求項４の発明は、請求項２に記載の指支持傘収納袋において、傘を入れる袋本体開口端の一部を折り返すことにより、指を差し入れる為のループ構造を形成した。
【０００９】
請求項５の発明は、請求項２に記載の指支持傘収納袋において、袋本体の開口端を折り返し固定し、開口縁を二重にし、形成された折り返し二重部分外側面に複数の穴あるいはスリットを設けることにより、指を差し入れる為のループを形成した。
【００１０】
請求項６の発明は、請求項１に記載の指支持傘収納袋において、収納袋を挟むように指を差し入れる為のループ構造を開口部内外両側に形成した。
【００１１】
請求項７の発明は、請求項２記載の指支持傘収納袋において、開口部近傍外側に加え内側にも、指を差し入れる為のループ構造を形成した。
【００１２】
請求項８の発明は、請求項７に記載の指支持傘収納袋において、柔軟シート素材の上下両辺端部分を傘収納袋本体に固定することにより、指を差し入れる為のループを収納袋本体の内外双方に形成した。
【００１３】
請求項９の発明は、請求項７に記載の指支持傘収納袋において、傘を入れる袋本体開口端に複数の切れ目を入れ、その一部を内側外側へ折り返し、折り返した元の開口端を固定することにより、収納袋本体開口部近傍内外両側面にループを形成した。
【００１４】
請求項１０の発明は、請求項７に記載の指支持傘収納袋において、袋本体の開口端を折り返して袋本体に固定し、できた折り返し二重部分の内外両面に複数の穴またはスリットを設けることにより、収納袋本体開口部近傍内外両側面にループを形成した。
【００１５】
請求項１１の発明は、請求項１に記載の指支持傘収納袋において、開口部に三角形状のシート素材を取り付け、開口部を広くした。収納袋本体開口部が上の時は漏水せず、逆さまにした時排水できるスリットを形成した。
【００１６】
請求項１２の発明は、開口端を折り返し固定し、その二重部分に請求項３または５に記載の方法で、開口部近傍外側面に指を差し入れる為のループを形成した。開口縁の二重部分に紐を挿通し、絞って結ぶことが出来るようにした。排水用スリットを形成した。開口部からスリットまでと同程度の距離で環状摺動可能紐引き出し挿入部下に環状摺動可能紐を通すリングを取り付け、必要ならリングと環状摺動可能紐引き出し挿入部との中間部に順次紐通しリングを形成した。
【００１７】
請求項１３の発明は、開口端を折り返し固定することにより開口縁を二重にし、請求項３あるいは５に記載の方法で、指を差し込むためのループ構造を形成した。開口縁の二重部分に紐を挿通し、絞って結ぶことが出来るようにした。排水用穴を形成した。その穴を覆って下方向にのみ開口するように上端と左右端を収納袋本体に固定した柔軟シート素材を収納袋本体内側に形成した。開口部から排水用の穴と同程度の距離で環状摺動可能紐引き出し挿入部下に環状摺動可能紐を通すリングを取り付け、必要ならリングと環状摺動可能紐引き出し挿入部との中間部に順次紐通しリングを形成した。
【００１８】
請求工１４の発明は、開口端を折り返し固定することにより開口縁を二重にし、請求項６に記載の方法で、収納袋内外両面に指を差し込むためのループ構造を形成した。開口縁の二重部分に紐を挿通し、絞って結ぶことが出来るようにした。排水用スリットか穴を形成した。排水用スリットの近傍に環状摺動可能紐を通すリングを内外双方に形成し、必要ならリングと環状摺動可能紐引き出し挿入部との中間部に順次紐通しリングを内外双方に形成した。
【００１９】
請求項１５の発明は、開口端を折り返し固定することにより開口縁を二重にし、請求項８あるいは１０に記載の方法で、指を差し込むためのループ構造を形成した。開口縁の二重部分に紐を挿通し、絞って結ぶことが出来るようにした。排水用スリットを形成した。開口部から排水用スリットと同程度の距離で環状摺動可能紐引き出し挿入部下の内側外側双方に環状摺動可能紐を通すリングを取り付け、必要なら紐通しリングと環状摺動可能紐引き出し挿入部との中間部に順次紐通しリングを内外双方に形成した
【００２０】
請求項１６の発明は、開口端を折り返し固定することにより開口縁を二重にし、請求項８または１０に記載の方法で、開口部近傍内外両側面に指を差し込むためのループを形成した。開口縁の二重部分に紐を挿通し、絞って結ぶことが出来るようにした。排水用穴を形成して排水できる様にした。その穴を覆って下方向にのみ開口するように上端と左右端を収納袋本体に固定した柔軟シート素材を収納袋本体内側外側双方に形成した。開口部から排水用の穴と同程度の距離で環状摺動可能紐引き出し挿入部の下内側外側双方に環状摺動可能紐を通すリングを取り付け、必要なら紐通しリングと環状摺動可能紐引き出し挿入部との中間部に順次紐通しリングを内外双方に形成した。
【発明の効果】
【００２１】
収納袋を挟むように同一方向で対になった開口端を持つ収納袋本体開口部近傍のループ構造に指を差し込む事により、指を濡らすことなく傘収納袋の開口と支持が片手で可能となった。袋全体を柔軟素材で作れるので、裏返すことができるようになった。開口端部分を部分的に残すタイプでは、その残った部分を、収納袋本体を吊す穴を開けることができ、また指ばかりでなく手をカバーする部分として使用できる。三角形状のシート素材を取り付け、開口部を広げ傘が絞られる部分を開口縁より下にしたため傘を差し入れる最、水が収納袋本体外側に漏れるのを防いだ。内外双方に指を差し込むループを形成することにより裏返したままでの再利用が可能になった。排水用のスリットまたは穴を持つものは排水が開口部でなくスリットあるいは穴からより容易にでき、傘の収納を一時中断する時収納袋からのを軽減できた。また下方にのみ開口した排水用穴カバーは収納袋使用時の漏水を防ぐことが出来る。環状摺動可能紐は、絞って傘収納袋の使用時の落下を防ぐだけでなく、傘の収納を一時的に中断するとき、これを収納袋に取り付けた紐通しリングに通し吊り下げることで、紐通しリングと同じ高さに作られたスリットまたは穴を上部とすることが出来、漏水を防ぐ。収納袋全体が柔軟素材だけで製作できるので、形状に制約がなく、携帯が極めて容易であるし、通常の傘収納袋としても使用できる。
【発明を実施するための最良の形態】
【００２２】
以下本発明の実施の形態を図面を用いて説明する。
【実施例１】
【００２３】
図１は請求項１の指支持傘収納袋の実施例で、収納袋本体開口端部分の拡大図ある。収納袋全体は長尺な柔軟シート素材の袋である。（Ａ）は、収納袋の外側に２つのシート素材１ａ、１ｂを、その上下端及び横方向一端を収納袋本体に固定することにより、（Ｂ）は２つのシート素材２ａ、２ｂを、その上下端を収納袋本体に固定することにより、（Ｃ）は収納袋本体開口端に切れ目を入れ、その一部３ａ、３ｂを折り返すことにより、（Ｄ）は収納袋本体開口端を折り返してその端を接合固定し、できた二重部分に指挿入穴４ａ、４ｂを開けることにより、それぞれ収納袋を挟むかたちで対になった指を差し込むためのループ構造を形成している。
【実施例２】
【００２４】
図２は請求項３の指支持傘収納袋の実施例で、収納袋本体開口端部分の拡大図である。収納袋全体は長尺な柔軟シート素材の袋である。柔軟シート素材５と６を、下の辺端部分５ａ、６ａと上の辺端部分５ｂ，６ｂの部分で収納袋本体に溶着、接着、あるいは縫合で固定し、対になった指を差し込むループを形成した。前後の開口端間は等しくなくても良い。端間距離を変えることにより手の大きな人小さな人双方に対応できる。
【実施例３】
【００２５】
図３は請求項４の指支持傘収納袋の実施例で、開口端部分の拡大図である。収納袋全体は長尺な柔軟シート素材の袋である。収納袋本体開口端に４カ所の切れ目を入れ、向かい合う二カ所の開口端部分を外側面に、溶着、接着、縫合などの方法で固定し、指を差し込む対になったループを形成した。手前外面への折り返し部分７の折り返し部開口端７ｃと後方左折り返し部分の開口端８ｃとに指を入れるか、開口端７ｄ、８ｄに指を入れることにより収納袋本体を支持し開口できる。それぞれ元の開口端の辺端部分７ａ、８ａを、溶着、接着、縫合などの手段により収納袋本体へ固定する。折り返さない部分は、手のカバーとして、或いは穴を開けて収納袋を吊り下げるのに使える。
【実施例４】
【００２６】
図４は請求項５の指支持傘収納袋の実施例で、開口端部分の拡大図である。収納袋全体は長尺な柔軟シート素材の袋である。折り返し二重部分９の折り返し二重部分外側９ｓにハート形の指挿入穴１０ａ、１０ｂ，１０ｃ，１０ｄを開け、トンネル状帯状ループを形成した。指挿入穴の間隔は等間隔でなくても良い。指挿入口の間隔を変えることにより手の大きな人と小さな人双方に対応できる。また穴の形状は限定されたものではなく、穴でなくスリットとしても良い。折り返し二重部分内側９ｕにより指が傘に触れないですむ。折り返し部分は辺端部分９ａを収納袋本体に接着、溶着、縫合などの手段により固定する。
【実施例５】
【００２７】
図５は請求項6の指支持傘袋の実施例で、収納袋本体開口端部分の拡大図である。収納袋全体は、長尺な柔軟シート素材の袋である。（Ｅ）はシート素材１１ａ、１１ｂを外側に、１１ｃ、１１ｄを内側に、それぞれその上下端と左右端の一方を収納袋本体に固定して取り付ける事により、（Ｆ）はシート素材１２ａ、１２ｂを外側に、１２ｃ、１２ｄを内側に、それぞれの上下端を収納袋本体に固定して取り付ける事により、（Ｇ）は収納袋本体開口端に切れ目を入れ、交互に内外に折り返してその端を固定する事により、（Ｈ）は。収納袋本体開口端を折り返しその端を接合固定し、その二重になった部分に外側指挿入穴１４ａ、１４ｂ内側指挿入穴１４ｃ、１４ｄを設ける事により、それぞれ収納袋を挟むように対になって開口した指を差し入れる為のループ構造を開口部内外両側に形成している。内外にループ構造があるので、リヴァーシブルな使用が可能である。
【実施例６】
【００２８】
図６は請求項８の指支持傘収納袋の実施例で、開口端部分の拡大図となっている。収納袋全体は長尺な柔軟シート素材の袋である。シート素材１５，１６，１７，１８をそれぞれの上下辺端部分で収納袋本体に溶着、接着、縫合などの手段により接合する。内外両面にトンネル状帯状ループを形成することにより、裏返して乾かした後そのまま再使用できる。
【実施例７】
【００２９】
図７は請求項９の指支持傘収納袋の実施例である。開口端部分の拡大図となっている。収納袋全体は長尺な柔軟シート素材の袋である。収納袋本体開口端に四カ所の切れ目を入れ外側折り返し部分１９，２０を外側に、内側折り返し部分２１，２２を内側に折り返し、各々元の開口端である辺端部分１９ａ、２０ａ、２１ａ、２２ａを収納袋本体に溶着、接着、縫合などの手段により接合することにより内外両面に二つずつトンネル状帯状ループ構造を形成した。実施例１２の場合と同様、裏返して乾かした後そのまま使用できる。
【実施例８】
【００３０】
図８は請求項１０の指支持傘収納袋の実施例である。開口端部分の拡大図となっている。収納袋全体は長尺な柔軟シート素材の袋である。収納袋本体開口端を折り返し、折り返し二重部分２３の外側２３ｓにハート形の外側指挿入穴２４ａ、２４ｂを、内側２３ｕにスペード型の内側指挿入穴２５ａ、２５ｂをあけ、トンネル状帯状ループを形成した。穴の数は内側外側とも２つずつとなっているが、数を限定するものではない。本実施例でも裏返して乾かした後そのまま使用でき大変に便利である。
【実施例９】
【００３１】
図９は請求項１１の指支持傘収納袋の実施例である。シート素材３０ａ、３０ｂを、その上下と横一方を収納袋本体に接合して、本体を開口支持するための対になった開口端とループを形成している。収納袋本体は長尺なシート素材２７と、それより短いシート素材２８で形成される。シート素材２７を谷折にし、２８を内側に一部を重ね２７，２８の側面を溶接、接着、縫合等の手段により接合し形成する。重なり部分の内側となるシート素材２８の端２８ｅは接合しない。２７と２８の重なる部分にボタンとボタン穴や面ファスナーを取り付けて一時的な接合手段を設けるか、図のように外側となる２７の端の一部２７ｅを開いたまま２７ａ、２７ｂを２８に接合することにより袋全体の形状を保つ。開口部を上として傘を入れると傘の水滴は２８ｃを伝っての底部へ落ち、２７との重なり部分からは外へもれない。逆さまにすると水は底部の２７を伝って重なり部分のシート素材端開口部２７ｅから排出できる。開口部の三角形状シート素材２９で開口部を広げ傘からの水滴の漏れを防ぐ。
【実施例１０】
【００３２】
図１０は請求項１２の指支持傘収納袋の実施例である。折り返し二重部分３２に作られた指挿入スリット３４ａ、３４ｂ、３４ｃ、３４ｄと折り返し二重部分で指を差し込み収納袋を開口支持するループ構造を形成している。スリットは指の入れやすさを考え、幾分斜めに作られている。傘を使用するときには、本体開口部でなく排水用スリット３５より排水できる。環状摺動可能紐３３はその下端３３ａ、上端３３ｂが示すように、収納袋本体二重部分内を通っていて、絞って袋自体の落下を防止する。また使用中断時、紐引き出し挿入用スリット３１から環状摺動可能紐３３を引き出し、収納袋本体に形成された紐通しリング３６ａ、３６ｂに通して袋本体を吊り下げる。吊り下げた際、袋本体の底部より排水用スリット３５が上部になるため、漏水を防げる。
【実施例１１】
【００３３】
図１１、図１２は請求項１３の指支持傘収納袋の実施例である。折り返し二重構造部分４２の外部に取り付けられた四角形の柔軟シート素材によりループ構造が形成され、そのシート素材４４ａ、４４ｂの開口端から指を入れて収納袋を保持し本体開口部を広げる。内部の排水穴カバー４８は紐通し用ループ４６ａの下に形成された排水用穴４５より使用時に漏水することを防ぐ。使用中断の際には、排水用穴下部で収納袋本体を折り返し、開口端４８ｅから排水用穴４５を通して排水し、環状摺動可能紐４３を、紐引き出し挿入用スリット４１から引き出し、収納袋本体に形成された紐通しリング４６ａ、４６ｂに通して吊り下げる。吊り下げの際、紐通し用ループ４６ａが排水用穴４５の近くにあるため、排水用穴は袋本体底部より上となり、排水用穴からの漏水を防ぐことができる。紐上端４３ｂ、紐下端４３ａが示すように、環状摺動可能紐４３は折り返し二重部分４２内部に挿入されている。内部の排水穴カバー４８はその開口端４８ｅ以外の端は収納袋本体に溶着、接着、縫合などの手段により固定し、漏水しないようにする。
【実施例１２】
【００３４】
図１３、図１４は請求項１４の指支持傘収納袋の実施例である。折り返し二重部分５２の外側にシート素材５４ａ、５４ｂの上下端を接合して形成されたループ構造に指を差し込み、収納袋を開口支持すする。使用をいったん中止する際には、排水用スリット５５から排水し、環状摺動可能紐５３を紐引き出し挿入用スリット５１から引き出し、紐通しリング５６ａ、５６ｂに通して吊り下げる。裏返して使用した際には指挿入スリット５７ａ、５７ｂに指を差し込み、環状摺動可能紐５３を紐引き出し挿入用スリット５０から引き出し、紐通しリング５６ｃ、５６ｄに通し吊り下げる。吊り下げた際、紐通しリング５６ａ、５６ｃが排水用スリット近くにあるため、排水用スリットからの漏水を防ぐことができる。
【実施例１３】
【００３５】
図１５、図１６は請求項１５の指支持傘収納袋の実施例である。折り返し二重部分６２の内外につけられた四角形柔軟シート素材の上下端を本体に固定することにより袋の内外双方に指挿入のループ構造を形成している。使用を中断する際には、排水用スリット６５より排水し、環状摺動可能紐６３を図２１の紐引き出し挿入用スリット６１から引き出し、紐通しリング６６ａ、６６ｂを通して吊り下げる。裏返して使う際には、紐引き出し挿入用スリット６０から環状摺動可能紐６３を引き出し、紐通しリング６６ｃ、６６ｄに通して吊り下げる。指支持傘収納袋を折りたたんだ状態は、図２１の示すとおりである。環状摺動可能紐６３を紐通しリング６６ａ、６６ｃに通し吊り下げた際、排水用スリットが上部となるため、漏水を防ぐことができる。収納袋開口端近傍は図２１で示すように、折り返し二重部分６２は辺端部分を本体に溶着、接着、縫合などの手段により固定し形成する。四角形な柔軟シート素材６４ａ、６４ｂ、６７ａ、６７ｂの下端上端辺端部分を本体に溶着、接着、縫合などの手段により固定して、指を挿入するトンネル状帯状ループ構造を収納袋本体内側外側双方に形成している。環状摺動可能紐６３は折り返し二重部分６２の中を、紐上端６３ｂ、下端６３ａが示すように一巡している。
【実施例１４】
【００３６】
図１７、図１８は請求項１６の指支持傘収納袋の実施例である。環状摺動可能紐７３は、環状摺動可能紐の下端７３ａ、上端７３ｂが示すように、折り返し二重部分７２内部を一巡している。二重部分外側には指挿入スリット７４ａ、７４ｂ、７４ｃ、７４ｄ、を、内側には７７ａ、７７ｂ、７７ｃ、７７ｄを開けることにより同一方向で対になった開口端を２つ持つトンネル状帯状ループを形成した。指挿入スリットに指を入れて収納袋本体を開口支持することとなる。傘を入れて使用の際は、排水用穴７５からの漏水は内側の排水穴カバーによって防がれる。使用後の排水は開口端７８ｅあるいは７９ｅから排水用穴７５を通して行う。収納袋をコンパクトに吊り下げるには、環状摺動可能紐７３を図２２の紐引き出し挿入用スリット７１、７０から引き出し、収納袋本体に取り付けられている紐通しリング７６ａ、７６ｂに、あるいは７６ｃ、７６ｄに通して吊り下げる。図２３は排水用穴７５近傍の拡大図である。外側の紐通しリング７６ａ，内側の紐通しリング７６ｃそれぞれの下に排水穴カバーを形成している。外側の排水用穴カバーは辺端部分７９ａを収納袋本体に溶着、接着、縫合などの手段により固定する。内側の排水穴カバーも同様の位置で固定する。排水は、図の状態で開口端７８ｅから排水用穴７５を通して開口端７９ｅを通して、裏返した際には、現在の外側開口端７９ｅが内側となるので、そこから排水用穴７５および開口端７８ｅを通して行う。排水穴カバーは内側外側とも開口端７８ｅ、７９ｅ以外の端は、接着、溶着、縫合などの手段で収納袋本体に接合し、漏水しないようにする。
【図面の簡単な説明】
【００３７】
【図１】指支持傘収納袋の実施方法を示した袋開口部分の斜視透視図。（実施例１）
【図２】指支持傘収納袋の実施方法を示した袋開口部分の斜視透視図。（実施例２）
【図３】指支持傘収納袋の実施方法を示した袋開口部分の斜視透視図。（実施例３）
【図４】指支持傘収納袋の実施方法を示した袋開口部分の透視斜視図。（実施例４）
【図５】指支持傘収納袋の実施方法を示した袋開口部分の斜視透視図。（実施例５）
【図６】指支持傘収納袋の実施方法を示した袋開口部分の斜視透視図。（実施例６）
【図７】指支持傘収納袋の実施方法を示した袋開口部分の斜視透視図。（実施例７）
【図８】指支持傘収納袋の実施方法を示した袋開口部分の斜視透視図。（実施例８）
【図９】指支持傘収納袋の実施方法を示した収納袋全体の斜視透視図。（実施例９）
【図１０】指支持傘収納袋の実施方法を示した袋全体の斜視透視図。（実施例１０）
【図１１】指支持傘収納袋の実施方法を示した袋全体の斜視透視図。（実施例１１）
【図１２】指支持傘収納袋の底部を切り欠いた排水用穴部分の斜視透視図。（実施例１１）
【図１３】指支持傘収納袋の実施方法を示した袋全体の斜視透視図。（実施例１２）
【図１４】指支持傘収納袋の実施方法を示した折畳んだ袋全体の斜視図。（実施例１２）
【図１５】指支持傘収納袋の実施方法を示した袋全体の斜視透視図。（実施例１３）
【図１６】指支持傘収納袋の実施方法を示した袋開口部分の斜視透視図。（実施例１３）
【図１７】指支持傘収納袋の実施方法を示した袋全体の斜視透視図。（実施例１４）
【図１８】指支持傘収納袋の底部を切り欠いた排水用穴部分の斜視透視図。（実施例１４）
【符号の説明】
【００３８】
１ａ、１ｂ、２ａ、２ｂ  シート素材    
３ａ、３ｂ  折り返し部分
４ａ、４ｂ  指挿入穴
５、６      シート素材    
５ａ、５ｂ、６ａ、６ｂ  シート素材上下接合部      
７            開口縁折り返し部分  
７ａ、８ａ    接合部    
７ｃ、７ｄ、８ｃ、８ｄ  開口端    
９        折り返し二重部分
９ａ      折り返し端接合部
９ｓ      折り返し二重部分外側
９ｕ      折り返し二重部分内側
１０ａ、１０ｂ、１０ｃ、１０ｄ  指挿入穴
１１ａ、１１ｂ、１１ｃ、１１ｄ  シート素材
１２ａ、１２ｂ、１２ｃ、１２ｄ  シート素材
１３ａ、１３ｂ  外側折り返し部分      
１３ｃ、１３ｄ  内側折り返し部分
１４ａ、１４ｂ  外側指挿入穴    
１４ｃ、１４ｄ  内側指挿入穴    
１５、１６、１７、１８    シート素材
１９、２０    外側折り返し部分
２１、２２    内側折り返し部分      
１９ａ、２０ａ、２１ａ、２２ａ  折り返し端接合部  
２３        折り返し二重部分
２３ｓ      折り返し二重部分外側
２３ｕ      折り返し二重部分内側
２３ａ      折り返し端接合部    
２４ａ、２４ｂ  外側指挿入穴
２５ａ、２５ｂ  内側指挿入穴
２７、２８  シート素材    
２７ａ、２７ｂ  接合部
２７ｅ      シート素材端開口部
２８ｅ      シート素材端
２９        三角形状シート素材
３０ａ、３０ｂ  シート素材    
３１        紐引き出し挿入用スリット
３２        折り返し二重部分
３３        環状摺動可能紐
３３ａ、３３ｂ  環状摺動可能紐上下端
３４ａ、３４ｂ、３４ｃ、３４ｄ  指挿入スリット
３５        排水用スリット
３６ａ、３６ｂ  紐通しリング
４１        紐引き出し挿入用スリット
４２        折り返し二重部分
４３        環状摺動可能紐
４３ａ、４３ｂ  環状摺動可能紐上下端
４４ａ、４４ｂ    シート素材
４５        排水用穴
４６ａ、４６ｂ  紐通しリング
４８        排水用穴カバー
４８ｅ      排水用穴カバー開口端
５０、５１        紐引き出し挿入用スリット
５２        折り返し二重部分
５３        環状摺動可能紐
５３ａ、５３ｂ  環状摺動可能紐上下端
５４ａ、５４ｂ  シート素材
５５        排水用スリット
５６ａ、５６ｂ、５６ｃ、５６ｄ、  紐通しリング
５７ａ、５７ｂ  指挿入穴
６０、６１        紐引き出し挿入用スリット
６２        折り返し二重部分
６３        環状摺動可能紐
６３ａ、６３ｂ  環状摺動可能紐上下端
６４ａ、６４ｂ    シート素材
６５        排水用スリット
６６ａ、６６ｂ、６６ｃ、６６ｄ、  紐通しリング
６７ａ、６７ｂ    シート素材
７０、７１        紐引き出し挿入用スリット
７２        折り返し二重部分
７３        環状摺動可能紐
７３ａ、７３ｂ  環状摺動可能紐上下端
７４ａ、７４ｂ、７４ｃ、７４ｄ  指挿入穴
７５        排水用穴
７６ａ、７６ｂ、７６ｃ、７６ｄ  紐通しリング
７７ａ、７７ｂ、７７ｃ、７７ｄ  指挿入スリット
７８ｅ      内側排水用穴カバー開口端
７９        外側排水用穴カバー
７９ａ      外側排水用穴カバー接合部
７９ｅ      外側排水用穴カバー開口端 
【図１】
2007050236.tif 000003
【図２】
2007050236.tif 000004
【図３】
2007050236.tif 000005
【図４】
2007050236.tif 000006
【図５】
2007050236.tif 000007
【図６】
2007050236.tif 000008
【図７】
2007050236.tif 000009
【図８】
2007050236.tif 000010
【図９】
2007050236.tif 000011
【図１０】
2007050236.tif 000012
【図１１】
2007050236.tif 000013
【図１２】
2007050236.tif 000014
【図１３】
2007050236.tif 000015
【図１４】
2007050236.tif 000016
【図１５】
2007050236.tif 000017
【図１６】
2007050236.tif 000018
【図１７】
2007050236.tif 000019
【図１８】
2007050236.tif 000020
【手続補正書】
【提出日】平成18年12月26日(2006.12.26)
【手続補正１】
【補正対象書類名】特許請求の範囲
【補正対象項目名】請求項１２
【補正方法】変更
【補正の内容】
【請求項１２】
請求項３または５に記載の指支持傘収納袋において、収納袋本体を開口端が折り返し固定された開口縁二重のものとし、二重部分外側にスリット設けるか或いは請求項５においては既存の穴やスリットを用いて環状摺動可能紐引き出し挿入部とし、二重部分内に摺動可能な紐を環状に挿通し、加えて収納袋本体開口端を上としたとき、傘収納袋本体中央部かあるいはそれ以下の部分にその周囲に撥水加工をした垂直方向の５ｍｍ前後の排水用スリットを形成し、開口部から排水用スリットと同程度の距離で環状摺動可能紐引き出し挿入部垂直下に紐通しリングを取り付け、必要なら紐通しリングと環状摺動可能紐引き出し挿入部との中間部に順次紐通しリングを形成することを特徴とする指支持傘収納袋。
【手続補正２】
【補正対象書類名】特許請求の範囲
【補正対象項目名】請求項１３
【補正方法】変更
【補正の内容】
【請求項１３】
請求項３または５に記載の指支持傘収納袋において、収納袋本体を開口端が折り返し固定された開口縁二重のものとし、二重部分外側にスリットを設けるか或いは請求項５においては既存の穴やスリットを用いて環状摺動可能紐引き出し挿入部とし、二重部分内に摺動可能な紐を環状に挿通し、加えて収納袋本体開口端を上としたとき、傘収納袋本体中央部かあるいはそれ以下の部分に排水用の穴を開け、その穴を覆って下方向にのみ開口するように上端と左右端を収納袋本体に固定した柔軟シート素材を収納袋本体内側に形成し、開口部から排水用の穴と同程度の距離で環状摺動可能紐引き出し挿入部垂直に紐通しリングを取り付け、必要なら紐通しリングと環状摺動可能紐引き出し挿入部との中間部に順次紐通しリングを形成することを特徴とする指支持傘収納袋。
【手続補正３】
【補正対象書類名】特許請求の範囲
【補正対象項目名】請求項１５
【補正方法】変更
【補正の内容】
【請求項１５】
請求項８または１０に記載の指支持傘収納袋において、収納袋本体を開口端が折り返し固定された開口縁二重のものとし、二重部分内外側にスリットを設けるか或いは請求項１０においては既存の穴やスリットを用いて環状摺動可能紐引き出し挿入部とし、二重部分内に摺動可能な1本の紐を環状に挿通し、加えて収納袋本体開口端を上としたとき、傘収納袋本体中央部かあるいはそれ以下の部分にその周囲に撥水加工をした垂直方向の５ｍｍ前後の排水用スリットを形成し、開口部から排水用スリットと同程度の距離で環状摺動可能紐引き出し挿入部垂直下内側外側双方に紐通しリングを取り付け、必要なら紐通しリングと環状摺動可能紐引き出し挿入部との中間部に順次紐通しリングを内外双方に形成することを特徴とする指支持傘収納袋。
【手続補正４】
【補正対象書類名】特許請求の範囲
【補正対象項目名】請求項１６
【補正方法】変更
【補正の内容】
【請求項１６】
請求項８または１０に記載の指支持傘収納袋において、収納袋本体を開口端が折り返し固定された開口縁二重のものとし、二重部分内外側にスリットを設けるか或いは請求項１０においては既存の穴やスリットを用いて環状摺動可能紐引き出し挿入部とし、二重部分内に摺動可能な1本の紐を環状に挿通し、加えて収納袋本体開口端を上としたとき、傘収納袋本体中央部あるいはそれ以下の部分に排水用の穴を開け、その穴を覆って下方向にのみ開口するように上端と左右端を収納袋本体に固定した柔軟シート素材を収納袋本体内側外側双方に形成し、開口部から排水用の穴と同程度の距離で環状摺動可能紐引き出し挿入部垂直下内側外側双方に紐通しリングを取り付け、必要なら紐通しリングと環状摺動可能紐引き出し挿入部との中間部に順次紐通しリングを内外双方に形成することを特徴とする指支持傘収納袋。
【手続補正書】
【提出日】平成19年1月4日(2007.1.4)
【手続補正１】
【補正対象書類名】明細書
【補正対象項目名】００１６
【補正方法】変更
【補正の内容】
【００１６】
請求項１２の発明は、開口端を折り返し固定し、その二重部分に請求項３または５に記載の方法で、開口部近傍外側面に指を差し入れる為のループを形成した。開口縁の二重部分に紐を挿通し、絞って結ぶことが出来るようにした。排水用スリットを形成した。開口部から排水用スリットまでと同程度の距離で環状摺動可能紐引き出し挿入部下に環状摺動可能紐を通すリングを取り付け、必要ならリングと環状摺動可能紐引き出し挿入部との中間部に順次紐通しリングを形成した。
【手続補正２】
【補正対象書類名】明細書
【補正対象項目名】００２４
【補正方法】変更
【補正の内容】
【００２４】
図２は請求項３の指支持傘収納袋の実施例で、収納袋本体開口端部分の拡大図である。収納袋全体は長尺な柔軟シート素材の袋である。矩形の柔軟シート素材５と６を、下の辺端部分５ａ、６ａと上の辺端部分５ｂ，６ｂの部分で収納袋本体に溶着、接着、あるいは縫合で固定し、対になった指を差し込むループを形成した。前後の開口端間は等しくなくても良い。端間距離を変えることにより手の大きな人小さな人双方に対応できる。
【手続補正３】
【補正対象書類名】図面
【補正対象項目名】図１１
【補正方法】変更
【補正の内容】
【図１１】
2007050236.tif 000021
【手続補正書】
【提出日】平成19年1月17日(2007.1.17)
【手続補正１】
【補正対象書類名】明細書
【補正対象項目名】００２９
【補正方法】変更
【補正の内容】
【００２９】
図７は請求項９の指支持傘収納袋の実施例である。開口端部分の拡大図となっている。収納袋全体は長尺な柔軟シート素材の袋である。収納袋本体開口端に四カ所の切れ目を入れ外側折り返し部分１９，２０を外側に、内側折り返し部分２１，２２を内側に折り返し、各々元の開口端である辺端部分１９ａ、２０ａ、２１ａ、２２ａを収納袋本体に溶着、接着、縫合などの手段により接合することにより内外両面に二つずつトンネル状帯状ループ構造を形成した。裏返して乾かした後そのまま使用できる。
【手続補正２】
【補正対象書類名】明細書
【補正対象項目名】００３１
【補正方法】変更
【補正の内容】
【００３１】
図９は請求項１１の指支持傘収納袋の実施例である。シート素材３０ａ、３０ｂを、その上下と横一方を収納袋本体に接合して、本体を開口支持するための対になった開口端とループを形成している。収納袋本体は長尺なシート素材２７と、それより短いシート素材２８で形成される。シート素材２７を谷折にし、２８を内側に一部を重ね２７，２８の側面を溶接、接着、縫合等の手段により接合し形成する。重なり部分の内側となるシート素材２８の端２８ｅは接合しない。２７と２８の重なる部分にボタンとボタン穴や面ファスナーを取り付けて一時的な接合手段を設けるか、図のように外側となる２７の端の一部２７ｅを開いたまま２７ａ、２７ｂを２８に接合することにより袋全体の形状を保つ。開口部を上として傘を入れると傘の水滴は２８ｅを伝っての底部へ落ち、２７との重なり部分からは外へもれない。逆さまにすると水は底部の２７を伝って重なり部分のシート素材端開口部２７ｅから排出できる。開口部の三角形状シート素材２９で開口部を広げ傘からの水滴の漏れを防ぐ。
【手続補正３】
【補正対象書類名】明細書
【補正対象項目名】００３５
【補正方法】変更
【補正の内容】
【００３５】
図１５、図１６は請求項１５の指支持傘収納袋の実施例である。折り返し二重部分６２の内外につけられた四角形柔軟シート素材の上下端を本体に固定することにより袋の内外双方に指挿入のループ構造を形成している。使用を中断する際には、排水用スリット６５より排水し、環状摺動可能紐６３を紐引き出し挿入用スリット６１から引き出し、紐通しリング６６ａ、６６ｂを通して吊り下げる。裏返して使う際には、紐引き出し挿入用スリット６０から環状摺動可能紐６３を引き出し、紐通しリング６６ｃ、６６ｄに通して吊り下げる。環状摺動可能紐６３を紐通しリングに通し吊り下げた際、排水用スリットが上部となるため、漏水を防ぐことができる。収納袋開口端近傍は、収納袋本体開口端６２ａを折り返し固定し、二重部分６２を形成する。四角形な柔軟シート素材６４ａ、６４ｂ、６７ａ、６７ｂの下端上端辺端部分を本体に溶着、接着、縫合などの手段により固定して、指を挿入するトンネル状帯状ループ構造を収納袋本体内側外側双方に形成している。環状摺動可能紐６３は折り返し二重部分６２の中を、紐上端６３ｂ、下端６３ａが示すように一巡している。
【手続補正４】
【補正対象書類名】明細書
【補正対象項目名】００３６
【補正方法】変更
【補正の内容】
【００３６】
図１７、図１８は請求項１６の指支持傘収納袋の実施例である。環状摺動可能紐７３は、環状摺動可能紐の下端７３ａ、上端７３ｂが示すように、折り返し二重部分７２内部を一巡している。二重部分外側には指挿入スリット７４ａ、７４ｂ、７４ｃ、７４ｄ、を、内側には７７ａ、７７ｂ、７７ｃ、７７ｄを開けることにより同一方向で対になった開口端を２つ持つトンネル状帯状ループを形成した。指挿入スリットに指を入れて収納袋本体を開口支持することとなる。傘を入れて使用の際は、排水用穴７５からの漏水は内側の排水穴カバーによって防がれる。使用後の排水は開口端７８ｅあるいは７９ｅから排水用穴７５を通して行う。収納袋をコンパクトに吊り下げるには、環状摺動可能紐７３を図１７の紐引き出し挿入用スリット７１、７０から引き出し、収納袋本体に取り付けられている紐通しリング７６ａ、７６ｂに、あるいは７６ｃ、７６ｄに通して吊り下げる。図１８は排水用穴７５近傍の拡大図である。外側の紐通しリング７６ａ，内側の紐通しリング７６ｃそれぞれの下に排水穴カバーを形成している。外側の排水用穴カバーは辺端部分７９ａを収納袋本体に溶着、接着、縫合などの手段により固定する。内側の排水穴カバーも同様の箇所で固定し、内側外側とも開口端７８ｅ、７９ｅ以外の端は、漏水の無いようにする。
【手続補正５】
【補正対象書類名】図面
【補正対象項目名】図９
【補正方法】変更
【補正の内容】
【図９】
2007050236.tif 000022
【手続補正６】
【補正対象書類名】図面
【補正対象項目名】図１６
【補正方法】変更
【補正の内容】
【図１６】
2007050236.tif 000023